(57)【要約】【課題】基板または部品を破損することなく、容易に基板を取り外すことができる基板取外治具およびそれを備えた基板取付取外機構を提供する。【解決手段】基板取外治具１は、筐体１０に設けられた係止部１１が基板２０の一方面２０ａを係止することにより筐体１０へ取り付けられた基板２０を一方面２０ａから係止部１１を外して筐体１０から取り外すための基板取外治具１であって、係止部１１を押圧して基板２０の一方面２０ａから係止部１１を外すように係止部１１を押圧可能な板状部２と、板状部２が係止部１１を押圧する状態で板状部２の一部から基板２０側に延びるように設けられた足部３と、足部３の先端に設けられ、かつ板状部２が係止部１１を押圧状態で基板２０の一方面２０ａと反対側の他方面２０ｂを押圧するように設けられたフック部４とを備えている。【選択図】図１
2011228345.tif 000002
【特許請求の範囲】
【請求項１】
筐体に設けられた係止部が基板の一方面を係止することにより前記筐体へ取り付けられた前記基板を前記一方面から前記係止部を外して前記筐体から取り外すための基板取外治具であって、
前記係止部を押圧して前記基板の一方面から前記係止部を外すように前記係止部を押圧可能な板状部と、
前記板状部が前記係止部を押圧する状態で前記板状部の一部から前記基板側に延びるように設けられた足部と、
前記足部の先端に設けられ、かつ前記板状部が前記係止部を押圧状態で前記基板の前記一方面と反対側の他方面を押圧するように設けられたフック部とを備えた、基板取外治具。
【請求項２】
前記板状部は、前記板状部が前記係止部を押圧する状態で前記係止部と対面する平面部を含み、
前記足部は、前記平面部に対して斜めに延びるように設けられている、請求項１に記載の基板取外治具。
【請求項３】
前記足部は、前記平面部に対する角度を調整可能に設けられている、請求項２に記載の基板取外治具。
【請求項４】
前記板状部の前記係止部を押圧する部分は曲面である、請求項１〜３のいずれかに記載の基板取外治具。
【請求項５】
前記足部は、互いに前記係止部を挟むように配置された少なくとも２つの足部材を含み、
前記フック部は、少なくとも２つの前記足部材の先端のそれぞれに設けられた複数のフック部材を含んでいる、請求項１〜４のいずれかに記載の基板取外治具。
【請求項６】
前記筐体と、
前記一方面から前記係止部を外して前記基板を前記筐体から取り外すための請求項１〜５のいずれかに記載の基板取外治具とを備え、
前記筐体は、
壁部材と、
前記基板が前記筐体へ取り付けられた状態で前記壁部材から前記基板上に傾斜している前記係止部と、
前記係止部を有する前記壁部材に設けられ、かつ前記足部および前記フック部を挿入可能な切欠部とを含んでいる、基板取付取外機構。
【発明の詳細な説明】
【技術分野】
【０００１】
本発明は、基板取外治具および基板取付取外機構に関し、特にプリント配線板または部品実装基板を筐体から取り外すための基板取外治具およびそれを備えた基板取付取外機構に関するものである。
【背景技術】
【０００２】
従来、筐体に設けられたツメ部がプリント配線板または部品実装基板（以下、基板という）に係止めされることで基板が筐体に係止されている。この場合、指または一般工具を使用してツメ部を押すことで基板が筐体から取り外される。この一般工具としては、たとえば内張りはがしが一例として挙げられる。
【０００３】
また、たとえば特開平９−３６５７６号公報（特許文献１）には、プリント板を支持体から取り外すプリント板取外し治具が提案されている。このプリント板取外し治具は、開閉する弾性片を有する支持体に保持されたプリント板を取外すための治具であり、軸体と、フックとを有している。支持体の弾性片が軸体の開孔内に挿入されることにより弾性片が閉脚する。次いでフックがプリント板の縁に係合された後、フックが治具方向へ移動されることにより支持体からプリント板が引き抜かれて取り外される。
【先行技術文献】
【特許文献】
【０００４】
【特許文献１】特開平９−３６５７６号公報
【発明の概要】
【発明が解決しようとする課題】
【０００５】
従来、筐体のツメ部にて係止めされた基板が取り外される際、指または一般工具によってツメ部が押されていたため、必要以上にツメ部が変形されたり、誤った力のかかり方によりプリント配線板または実装された部品が損傷するという問題がある。さらに、係止めされたツメ部が解除されて筐体から基板が取り外される際に、基板を把持するためのスペースがないため、指または一般工具が基板上の部品に接触することにより部品が破損するおそれもある。
【０００６】
一方、指が届かない狭いスペースで一般工具などを使用すると、ツメ部、プリント配線板、部品を損傷させないように慎重になり、取り外し作業に時間がかかるという問題がある。また、筐体または部品などが破損すると、そのままでの再利用ができないため、資源の無駄使いに繋がるといった問題がある。
【０００７】
本発明は上記課題を鑑みてなされたものであり、その目的は、基板または部品を破損することなく、容易に基板を取り外すことができる基板取外治具およびそれを備えた基板取付取外機構を提供することである。
【課題を解決するための手段】
【０００８】
本発明の基板取外治具は、筐体に設けられた係止部が基板の一方面を係止することにより筐体へ取り付けられた基板を一方面から係止部を外して筐体から取り外すための基板取外治具であって、板状部と、足部と、フック部とを備えている。板状部は、係止部を押圧して基板の一方面から係止部を外すように係止部を押圧可能に設けられている。足部は、板状部が係止部を押圧する状態で板状部の一部から基板側に延びるように設けられている。フック部は、足部の先端に設けられ、かつ板状部が係止部を押圧状態で基板の一方面と反対側の他方面を押圧するように設けられている。
【発明の効果】
【０００９】
本発明の基板取外治具によれば、基板の一方面から係止部を外すように係止部を押圧可能な板状部と、板状部の一部から基板側に延びるように設けられた足部と、足部の先端に設けられ、基板の他方面を押圧するように設けられたフック部とを備えている。このため、フック部と他方面との接点を支点とし、板状部と係止部との接点を作用点とすることによって、テコの原理で係止部を押して基板の一方面から係止部を外すことができる。これにより、指などで直接押す場合に比べて小さな力で係止部を押して基板の一方面から係止部を外すことができる。
【００１０】
そのため、必要最低限の範囲で係止部を押すように調整することが容易である。したがって、必要以上に係止部を変形させることを抑制することができる。また、必要以上の力をかけることによって誤って基板または部品を損傷させることを抑制することができる。さらに、必要以上に係止部を変形させたり、基板または部品を損傷させることを抑制することができるため、取外し作業が容易になるので取り外しにかかる作業時間を短縮することができる。
【００１１】
また、フック部が基板の他方面を押圧することにより基板を持ち上げることができるため、筐体から基板を持ち上げて容易に取り外すことができる。
【図面の簡単な説明】
【００１２】
【図１】本発明の一実施の形態における基板取付取外機構の概略斜視図である。
【図２】本発明の一実施の形態における基板取外治具の一部が筐体の切欠部に挿入されている様子を示す概略断面図であって、その断面は図１のＩＩ−ＩＩ線に沿う断面である。
【図３】本発明の一実施の形態における基板取外治具が基板に接触している様子を示す概略断面図であって、その断面は図２に対応する断面である。
【図４】本発明の一実施の形態における基板取外治具によって筐体から基板が取り外される様子を示す概略断面図であって、その断面は図２に対応する断面である。
【発明を実施するための形態】
【００１３】
以下、本発明の一実施の形態について図に基づいて説明する。
最初に本発明の一実施の形態の基板取外治具およびそれを備えた基板取外機構の構成について説明する。
【００１４】
図１および図２を参照して、基板取付取外機構１００は、基板取外治具１と、筐体１０とを有している。筐体１０の外壁を構成する壁部材１２の内側に、部品２１を実装された基板２０が載置されている。基板２０は、筐体１０に設けられた係止部１１が基板２０の一方面２０ａを係止することにより筐体１０へ取り付けられている。なお、基板２０の他方面２０ｂは、たとえば図示されない壁部材１２に設けられた突起などにより支持されている。
【００１５】
基板取外治具１は、この筐体１０へ取り付けられた基板２０の一方面２０ａに当接した係止部１１をその一方面２０ａから外して筐体１０から基板２０を取り外すためものである。基板取外治具１は、板状部２と、足部３と、フック部４とを有している。板状部２は、係止部１１を押圧して基板２０の一方面２０ａから係止部１１を外すように係止部１１を押圧可能に設けられている。
【００１６】
板状部２は、板状部２が係止部１１を押圧する状態で係止部１１と対面するように設けられた平面部２ａを有していてもよい。この平面部２ａの一方端には腹部６が設けられている。腹部６の係止部１１と対面する側に、先端に向かって板状部２の厚みが薄くなるように構成された曲面７が設けられている。板状部２の係止部１１を押圧する部分はこの曲面７である。板状部２の係止部１１を押圧する部分を曲面７とすることにより、係止部１１を押圧する際に係止部１１に傷が付くことを軽減することができる。
【００１７】
足部３は、板状部２が係止部１１を押圧する状態で板状部２の一部から基板２０側に延びるように設けられている。足部３は、平面部２ａに対して斜めに延びるように設けられていてもよい。足部３が平面部２ａに対して斜めに延びるように設けられていることにより、係止部１１近傍に背の高い部品２１があった場合でも部品２１に接触することなく板状部２で係止部１１を押圧することができる。
【００１８】
また、たとえば、足部３を平面部２ａに対して斜めに延びる位置においてネジ５で固定することにより、足部３は平面部２ａに対する角度を調整可能に設けられていてもよい。係止部１１の近傍に配置された部品２１の背の高さにあわせて足部３の平面部２ａに対する角度を調整することができる。
【００１９】
足部３は、少なくとも２つの足部材３ａを含んでいてもよい。この場合、少なくとも２つの足部材３ａは、互いに係止部１１を挟むように配置されていてもよい。本発明の一実施の形態では、平面部２ａの一方端の両側に、２本の足部材３ａがネジ５で取り付けられている。この２本の足部材３ａは、互いに係止部１１を挟むように配置されている。
【００２０】
フック部４は、足部３の先端に設けられ、かつ板状部２が係止部１１を押圧状態で基板２０の一方面２０ａと反対側の他方面２０ｂを押圧するように設けられている。足部３が少なくとも２つの足部材３ａを含んでいる場合、フック部４は、少なくとも２つの足部材３ａの先端のそれぞれに設けられた複数のフック部材４ａを含んでいてもよい。フック部４は、基板２０側に延びるように形成されており、フック部４の先端は、基板２０と接触しても基板２０を傷つけないよう角が丸くなるように形成されている。
【００２１】
筐体１０は、係止部１１と、壁部材１２と、切欠部１３とを含んでいる。係止部１１は、基板２０を筐体１０に係止めするためのものであり、基板２０が筐体１０に取り付けられた状態で筐体１０の外壁を構成する壁部材１２から基板２０上に傾斜している。係止部１１は、板状部２で押されていない状態では基板２０の一方面２０ａ上に位置して基板２０を係止めするように設けられている。また、係止部１１は、板状部２で押されることにより、基板２０の一方面２０ａ上から外れるように弾性変形可能に構成されている。
【００２２】
切欠部１３は、基板取外治具１で基板２０を押圧可能に足部３およびフック部４を挿入するためのものである。切欠部１３は、係止部１１を有する壁部材１２に設けられ、足部３およびフック部４を挿入可能に設けられている。切欠部１３は、基板取外治具１の足部３およびフック部４が筐体１０の内側から外側を通って基板２０の他方面２０ｂに接触するように、壁部材１２を貫通する孔により形成されている。切欠部１３は、複数個形成されており、互いに係止部１１を挟むように設けられていてもよい。この場合、切欠部１３の間隔は、足部３の間隔にあわせて設けられている。
【００２３】
たとえば、切欠部１３の幅は３ｍｍ程度に形成されていてもよい。この場合、足部３の幅は切欠部１３の幅より狭い寸法に形成されている。また、フック部４は基板２０側に２ｍｍ程度の突起を有するＬ字状の形成されている。また、足部３と板状部２との角度は１５°程度が挿入しやすいため好ましい。
【００２４】
次に、本発明の一実施の形態の基板取外治具およびそれを備えた基板取外機構の動作について説明する。
【００２５】
まず、図２を参照して、基板２０の取り付け方法について説明する。基板２０を筐体１０の壁部材１２の内側にあわせて、基板２０の端部で係止部１１が押圧されながら基板２０が係止部１１の先端側に移動する。基板２０が係止部１１の先端を超えるまで移動すると、係止部１１が弾性力により押圧される前の位置に戻り基板２０が係止部１１により係り止めされる。
【００２６】
次に、基板２０の取り外し方法について説明する。基板取外治具１を用いることにより、図２〜図４に示される手順で筐体１０から基板２０が取り外される。
【００２７】
図２を参照して、基板２０は係止部１１によって筐体１０に係止めされている。係止部１１の近傍において基板２０に背の高い部品２１が実装されている。この状態では、基板取外治具１の足部３は筐体１０の切欠部１３に筐体１０の内側から挿入されているが、板状部２は係止部１１に接触しておらず、フック部４は基板２０の他方面２０ｂに接触していない。
【００２８】
係止部１１の近傍に背の高い部品２１が配置されているため、足部３と板状部２との角度は板状部２が部品２１に接触しない角度に調節されている。この状態で、基板取外治具１は筐体１０と部品２１との間を通され、係止部１１を挟むように形成された切欠部１３に足部３が挿入される。
【００２９】
図３を参照して、続いて、係止部１１を挟むように形成された切欠部１３に足部３およびフック部４が挿入され、基板２０の他方面２０ｂにフック部４がかけられる。また板状部２の曲面７が係止部１１に接触する。
【００３０】
図４を参照して、続いて、板状部２の曲面７で筐体１０の係止部１１を押圧することにより、係止部１１が基板２０の端部から離れる。このように係止部１１が基板２０の一方面２０ａから外れることにより係止部１１による係止めが解除される。
【００３１】
このとき、板状部２に力が加えられた点が力点となり、基板２０の他方面２０ｂとフック部４との接点１４が支点となり、板状部２の曲面７と係止部１１との接点１５が作用点となる。つまり、テコの原理に従い、基板取外治具１を用いることにより、係止部１１を直接押すよりも小さな力で押すことができる。
【００３２】
このとき、板状部２の係止部１１を押圧する部分が係止部１１を摺りながら押すため、板状部２の係止部１１を押圧する部分を滑らかな曲面７とすることにより、係止部１１が押される際に傷が付くことを軽減することができる。係止部１１に傷が付くことを軽減することにより、筐体１０をこのまま再利用する回数を多くすることができる。
【００３３】
フック部４で基板２０の他方面２０ｂを持ち上げることにより、基板２０が筐体１０から持ち上げられて取り外される。これらの作業により、係止部１１の近傍に背の高い部品２１が配置されている場合でも、板状部２と足部３との角度を調整することにより、基板取外治具１は部品２１に接触することなく、筐体１０から基板２０を取り外すことができる。
【００３４】
なお、上記では基板２０の取り付け方法について基板取外治具１を使用しない場合を説明したが、基板取外治具１を使用して基板２０が筐体１０に取り付けられてもよい。この場合、基板２０を筐体１０の壁部材１２の内側にあわせて、基板取外治具１の足部３が筐体１０の切欠部１３に挿入された状態で板状部２で係止部１１が押圧される。
【００３５】
板状部２で係止部１１が押圧されることにより基板２０が係止部１１へ負荷なく嵌め込まれる。基板２０が係止部１１の先端を超える位置まで嵌ると、係止部１１が弾性力により押圧される前の位置に戻り基板２０が係止部１１により係り止めされる。この係り止めされた後に、基板取外治具１が引き抜かれる。
【００３６】
基板取外治具１を使用して基板２０を筐体１０に取り付けることにより、基板取外治具１を使用しない場合と比較して、基板２０で係止部１１を押圧しないため、基板２０が損傷することを防ぐことができる。また、基板２０の端部で係止部１１を押圧しないため、係止部１１の表面に傷が付くことを防ぐことができる。
【００３７】
次に、本発明の一実施の形態の作用効果について説明する。
本発明の一実施の形態の基板取外治具１によれば、基板２０の一方面２０ａから係止部１１を外すように係止部１１を押圧可能な板状部２と、板状部２の一部から基板側に延びるように設けられた足部３と、足部３の先端に設けられ、基板２０の他方面２０ｂを押圧するように設けられたフック部４とを備えている。このため、フック部４と他方面２０ｂとの接点１４を支点とし、板状部２と係止部１１との接点１５を作用点とすることによって、テコの原理で係止部１１を押して基板２０の一方面２０ａから係止部１１を外すことができる。これにより、指などで直接押す場合に比べて小さな力で係止部１１を押して基板２０の一方面２０ａから係止部１１を外すことができる。
【００３８】
そのため、必要最低限の範囲で係止部１１を押すように調整することが容易である。したがって、必要以上に係止部１１を変形させることを抑制することができる。また、必要以上の力をかけることによって誤って基板２０または部品２１を損傷させることを抑制することができる。さらに、必要以上に係止部１１を変形させたり、基板２０または部品２１を損傷させることを抑制することができるため、取外し作業が容易になるので取り外しにかかる作業時間を短縮することができる。
【００３９】
また、フック部４が基板２０の他方面２０ｂを押圧することにより基板２０を持ち上げることができるため、筐体１０から基板２０を持ち上げて容易に取り外すことができる。
【００４０】
本発明の一実施の形態の基板取外治具１によれば、板状部２は板状部２が係止部１１を押圧する状態で係止部１１と対面する平面部２ａを含み、足部３は平面部２ａに対して斜めに延びるように設けられているため、板状部２を大きく傾けずに足部３およびフック部４を基板２０に接触させることができる。このため、係止部１１の近傍に背の高い部品２１が配置されている場合でも、基板取外治具１を部品２１に接触させることなくフック部４を基板２０の他方面２０ｂにかけた状態で板状部２によって係止部１１を押すことができる。このため、基板取外治具１と接触することにより部品２１を損傷させることなく基板２０を取り外すことができる。
【００４１】
本発明の一実施の形態の基板取外治具１によれば、足部３は平面部２ａに対する角度を調整可能に設けられているため、係止部１１の近傍に配置された部品２１の背の高さにあわせて角度を調整することができる。このため、広い範囲の部品２１が実装された基板２０を、基板２０または部品２１を破損することなく取り外すことができる。
【００４２】
本発明の一実施の形態の基板取外治具１によれば、板状部２の係止部１１を押圧する部分は曲面７であるため、係止部１１が押される際に、板状部２の係止部１１を押圧する部分が係止部１１を摺りながら押すことで係止部１１に傷が付くことを軽減することができる。また、係止部１１に傷が付くことを軽減することにより、筐体１０をこのまま再利用する回数を多くすることができる。
【００４３】
本発明の一実施の形態の基板取外治具１によれば、足部３は互いに係止部１１を挟むように配置された少なくとも２つの足部材３ａを含み、フック部４は、少なくとも２つの足部材３ａの先端のそれぞれに設けられた複数のフック部材４ａを含んでいる。このため、複数の足部材３ａおよびフック部材４ａで基板２０を押圧することにより、基板２０に加わる力を分散することができる。そのため、基板２０を安定して取り外すことができる。また、複数箇所で基板２０を持ち上げるため、容易に基板２０を持ち上げることができる。また、基板２０に加わる力を分散することができるため、基板２０が破損することを軽減することができる。
【００４４】
本発明の一実施の形態の基板取付取外機構１００によれば、筐体１０と、一方面２０ａから係止部１１を外して基板２０を筐体１０から取り外すための基板取外治具１とを備えている。そして、筐体１０は、壁部材１２と、基板２０が筐体１０へ取り付けられた状態で壁部材１２から基板２０上に傾斜している係止部１１と、係止部１１を有する壁部材１２に設けられ、かつ足部３およびフック部４を挿入可能な切欠部１３とを含んでいる。
【００４５】
切欠部１３に挿入されたフック部４が基板２０の他方面２０ｂに接触するため、部品２１が実装されることにより基板２０を把持するためのスペースが狭い場合でも、部品２１に接触することなく基板２０を取り外すことができる。このため、基板取外治具１と接触することによって部品２１を破損することを抑制することができる。
【００４６】
また、従来のように壁部材１２と基板２０との間に隙間がない場合には、基板２０を持ち上げるために壁部材１２と基板２０との間に内張りはがしなどを挿入する必要がある。壁部材１２と基板２０との間に内張りはがしなどを挿入すると壁部材１２および基板２０に過大な力が加わるため壁部材１２および基板２０が破損するおそれがある。
【００４７】
本発明の一実施の形態の基板取付取外機構１００では、切欠部１３に足部３およびフック部４を挿入して基板２０を取り外すことができるため、壁部材１２と基板２０との間に基板取外治具１は挿入されない。このため、壁部材１２と基板２０との間に基板取外治具１が挿入されることによって壁部材１２および基板２０が破損することを抑制することができる。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４９】
１  基板取外治具、２  板状部、２ａ  平面部、３  足部、３ａ  足部材、４  フック部、４ａ  フック部材、５  ネジ、６  腹部、７  曲面、１０  筐体、１１  係止部、１２  壁部材、１３  切欠部、２０  基板、２０ａ  一方面、２０ｂ  他方面、２１  部品、１００  基板取付取外機構。
【図１】
2011228345.tif 000003
【図２】
2011228345.tif 000004
【図３】
2011228345.tif 000005
【図４】
2011228345.tif 000006